(57)【要約】【課題】  特に夜間の散歩に便利となる動物誘導用補助具を提供する。【解決手段】  犬等の動物に一端が接続され、その動物の歩行又は走行を誘導するリード３と、そのリード３の他端に設けられた把持部４とを備え、リード３又は把持部４に、動物を照射し得る光を発光するライト５を設ける。把持部４は、リード３の巻き取り又は繰り出しを行ってリード３の長さを調節し得る巻取繰出装置１０であることが好ましい。ライト５は、巻取繰出装置１０から繰り出されるリード３の方向に指向性のある光を発光するライトであることが好ましい。【選択図】        図１
2006025781.tif 000002
【特許請求の範囲】
【請求項１】
犬等の動物に一端が接続され、その動物の歩行又は走行を誘導するリードと、そのリードの他端に設けられた把持部とを備えた動物誘導用補助器具であって、前記リード又は前記把持部に、前記動物を照射し得る光を発光するライトを設けたことを特徴とする動物誘導用補助器具。
【請求項２】
前記把持部が、前記リードの巻き取り又は繰り出しを行って前記リードの長さを調節し得る巻取繰出装置であり、該巻取繰出装置に前記ライトが設けられ、該ライトが、前記巻取繰出装置から繰り出されるリードの方向に指向性のある光を発光するライトであることを特徴とする請求項１記載の動物誘導用補助器具。
【請求項３】
前記把持部が、前記リードが接続される基部と、その基部に設けられているリング部とからなり、前記基部に前記ライトが設けられ、該ライトが、前記リードが引っ張られたときに、リードが延びる方向に指向性のある光を発光するライトであることを特徴とする請求項１記載の動物誘導用補助器具。
【請求項４】
前記把持部に、表示灯が設けられていることを特徴とする請求項１〜３のいずれか１項記載の動物誘導用補助器具。
【請求項５】
前記リードの表面に、蓄光物質や蛍光物質等の発光物質が含有されていることを特徴とする請求項１〜４のいずれか１項記載の動物誘導用補助器具。
【請求項６】
犬等の動物に一端が接続され、その動物の歩行又は走行を誘導するリードと、そのリードの他端に設けられ、該リードの巻き取り又は繰り出しを行って前記リードの長さを調節し得る把持部とを備えた動物誘導用補助器具であって、前記リードの表面に、蓄光物質や蛍光物質等の発光物質が含有され、前記把持部内に、前記リードに向けて光を発光する発光体を設けたことを特徴とする動物誘導用補助器具。
【請求項７】
前記把持部が、透明な外装ケースを有することを特徴とする請求項６に記載の動物誘導用補助器具。
【請求項８】
前記外装ケースに、蓄光物質や蛍光物質等の発光物質が含有されていることを特徴とする請求項６又は７に記載の動物誘導用補助器具。
【請求項９】
前記把持部に、音を発生させる音発生器を設けたことを特徴とする請求項６〜９のいずれか１項に記載の動物誘導用補助器具。
【請求項１０】
犬等の動物の歩行又は走行を誘導するリードを把持する把持部に、音を発生させる音発生器を設けたことを特徴とする動物誘導用補助器具。
【請求項１１】
前記音発生器が、警報装置であることを特徴とする請求項９又は１０に記載の動物誘導用補助器具。
【請求項１２】
前記リード又は前記把持部に、前記動物を照射し得る光を発光するライトを設けたことを特徴とする請求項６〜１１のいずれか１項に記載の動物誘導用補助器具。
【発明の詳細な説明】
【技術分野】
【０００１】  本発明は、特に夜間に犬等のペットの歩行又は走行を誘導するのに適した動物誘導用補助具に関するものである。
【背景技術】
【０００２】  従来、犬等のペット（愛玩動物）を歩行例えば散歩させる際には、紐、ベルト、ロープ等のリードが用いられている。このリードの一端を、例えば、犬の首回りや胴回りに装着されている首輪や胴輪等の装着具に接続し、このリードの他端を散歩させる人が手に持って、犬の歩行方向を誘導しつつ犬の散歩を行っている。リードの他端は、リードを確実に把持することができるようにリング状の把持部が設けられたり（例えば、特許文献１参照。）、リードの巻き取り・繰り出しを自在にしてリードの長さを自由に調節できる把持可能な巻取繰出装置が設けられたりする。
【特許文献１】特開２００２−０３４３８２号公報
【発明の開示】
【発明が解決しようとする課題】
【０００３】  ところで、犬の散歩は昼間だけでなく夜間に行うことがあり、その場合には、懐中電灯が必要となる。懐中電灯は、犬の位置を把握したり散歩する道路の状態を把握したりするもの等であり、夜間の犬の散歩には必需品となっている。しかし、片方の手にリードを持つと共に残りの片方の手に懐中電灯を持つと、両手が塞がれて自由になる手がなくなる。このように両手が塞がれると、犬の散歩を行う際には、例えば、犬の排泄物（糞）を後始末するための袋やシャベル等が必要になるが、例えばシャベル等を手で持って歩けないと共に、排泄物（糞）の後始末をリードと懐中電灯とを持ちながら行えなず、非常に不便であった。【０００４】  そこで、本発明は、このような実情に鑑みなされたものであり、その目的は、特に夜間の散歩に便利となる動物誘導用補助具を提供することにある。
【課題を解決するための手段】
【０００５】  前記の目的を達成するための本発明の動物誘導用補助具は、犬等の動物に一端が接続され、その動物の歩行又は走行を誘導するリードと、そのリードの他端に設けられた把持部とを備えた動物誘導用補助器具であって、前記リード又は前記把持部に、前記動物を照射し得る光を発光するライトを設けたことを特徴とする。【０００６】  この発明によれば、リード又は把持部に動物を照射し得る光を発光するライトを設けたので、夜間に例えば犬を散歩させる場合には、そのライトで犬を照らすことができる。その結果、片方の手だけで犬の誘導と光の照射とを行いながら犬を散歩することができ、夜間の散歩には特に便利である。【０００７】  本発明の動物誘導用補助具において、前記把持部が、前記リードの巻き取り又は繰り出しを行って前記リードの長さを調節し得る巻取繰出装置であり、該巻取繰出装置に前記ライトが設けられ、該ライトが、前記巻取繰出装置から繰り出されるリードの方向に指向性のある光を発光するライトであることが好ましい。また、本発明の動物誘導用補助具において、前記把持部が、前記リードが接続される基部と、その基部に設けられているリング部とからなり、前記基部に前記ライトが設けられ、該ライトが、前記リードが引っ張られたときに、リードが延びる方向に指向性のある光を発光するライトであることが好ましい。【０００８】  本発明の動物誘導用補助具において、前記把持部に、表示灯が設けられていることが好ましい。本発明の動物誘導用補助具において、前記リードの表面が、蓄光物質や蛍光物質等の発光物質を有することが好ましい。【０００９】  また、前記の目的を達成するための本発明の動物誘導用補助器具は、犬等の動物に一端が接続され、その動物の歩行又は走行を誘導するリードと、そのリードの他端に設けられ、該リードの巻き取り又は繰り出しを行って前記リードの長さを調節し得る把持部とを備えた動物誘導用補助器具であって、前記リードの表面に、蓄光物質や蛍光物質等の発光物質が含有され、前記把持部内に、前記リードに向けて光を発光する発光体を設けたことを特徴とする。【００１０】  本発明の動物誘導用補助器具において、前記把持部が、透明な外装ケースを有することが好ましい。また、本発明の動物誘導用補助器具において、前記外装ケースに、蓄光物質や蛍光物質等の発光物質が含有されていることが好ましい。また、本発明の動物誘導用補助器具において、前記把持部に、音を発生させる音発生器を設けることが好ましい。【００１１】  また、前記の目的を達成するための本発明の動物誘導用補助器具は、犬等の動物の歩行又は走行を誘導するリードを把持する把持部に、音を発生させる音発生器を設けたことを特徴とする。【００１２】  本発明の動物誘導用補助器具において、前記音発生器が、警報装置であることが好ましい。また、本発明の動物誘導用補助器具において、前記リード又は前記把持部に、前記動物を照射し得る光を発光するライトを設けることが好ましい。
【発明の効果】
【００１３】  以上説明したように、本発明の動物誘導用補助具によれば、リード又は把持部に動物を照射し得る光を発光するライトを設けたので、夜間に例えば犬を散歩させる場合には、そのライトで犬を照らすことができ、夜間の散歩には特に便利となる。
【発明を実施するための最良の形態】
【００１４】  以下、本発明の動物誘導用補助具を添付図面に基づいて詳述する。
図１は、本発明の第１の動物誘導用補助具を示す斜視図である。この動物誘導用補助具は、図１に示すように、犬２（図３参照）等の動物に一端が接続され、その動物の歩行又は走行を誘導するリード３と、そのリード３の他端に設けられた把持部４とを備えている。本発明の第１の動物誘導用補助具１の特徴は、前記リード３又は前記把持部４に、例えば犬２を照射し得る光９（図３参照）を発光するライト５を設けたことにある。【００１５】  本発明の動物誘導用補助具１は、ペット（愛玩動物）例えば犬２の歩行又は走行を誘導するものであり、特に夜間の犬２の散歩に適したものである。ペットとしては、犬２が特に好ましいが、犬２に限定されるものではなく、例えば散歩を誘導するペットであれば特に限定されない。犬２の首回りや胴回りには、首輪、胴輪等の装着具が装着され、この装着具にリード３が接続されている。なお、リード３と装着具が一体化されているものもある。【００１６】  リード３は、犬２を散歩させる際に誘導する主たるものであり、例えば、紐、ベルト、ロープ等の帯状体である。リード３の材質としては、ナイロン、布、革、合成樹脂、金属等が挙げられる。リード３の表面には、蓄光物質や蛍光物質等の発光物質が含有されていることが好ましい。なお、発光物質は、リード３の表面に限らず、リード３内に含有されていてもよい。【００１７】  発光物質としては、光を受光することにより光を発光する物質又はその物質を含有する発光性塗料等であれば特に限定されない。例えば、発光性塗料としては、蓄光塗料や蛍光塗料等が挙げられる。蓄光塗料とは、光エネルギーを吸収蓄積することで励起して発光する物質（蓄光物質）を含んだ塗料である。蓄光塗料としては、蓄光物質を適当な樹脂又はセルロース誘導体等の展色剤と練り合わせたもの等が挙げられる。蓄光物質としては、特に限定されるものではないが、微量の重金属活性化剤を添加した亜鉛やカルシウム等の硫化物等が挙げられる。蛍光塗料は、有機又は無機の蛍光体を含有する塗料のことである。有機蛍光体は、蛍光染料を合成樹脂の展色剤に溶解した固溶体であり、合成樹脂としてはポリ塩化ビニル、アルキド樹脂、アクリル樹脂等が挙げられる。無機蛍光体としては、無機蛍りん光体を利用したものであり、極めて純度の高い亜鉛、カドミニウム、カルシウム、アルミニウム、イットリウム等の金属の酸化物、硫化物、ケイ酸塩、タングステン酸塩等を主成分とし、これに微量のマンガン、銀、銅、鉛、ユーロビウム等の活性化剤および融剤を添加し、高温で焼成したもの等が挙げられる。【００１８】  リード３の一端には、リード３を犬２の例えば首輪に着脱自在に取り付けるための連結フック８が設けられている。リード３の他端には把持部４が設けられている。【００１９】  把持部４は、犬２を散歩させる際にリード３を介して犬２の歩行又は走行を誘導するために手で把持するものであり、手で把持できれば特に限定されず、第１の動物誘導用補助具１においては、巻取繰出装置１０を用いた例を示している。【００２０】  巻取繰出装置１０は、リード３の巻き取り・繰り出しを自在にしてリード３の長さを自由に調節できるものであり、犬２用のリード３の巻き取り・繰り出しを行う装置として公知のものを用いることができる。巻取繰出装置１０は、例えば、グリップ部でもある略矩形状の装置本体１１と、その装置本体１１の一側壁の一部が一体的に突出され、リード３が通るリード孔１３を有する突出部１２とから略Ｌ字状に形成されている。【００２１】  巻取繰出装置１０内には、リード３の巻き取り・繰り出しを行う例えばリール（図示せず）が設けられており、このリールは、例えば、リード３を引っ張る力（巻取繰出装置１０から離れる方向に作用する力）が特定の力以上でない限りはリード３を巻き取り、リード３を引っ張る力が特定の力以上であるとリード３を繰り出すように構成されている。また、巻取繰出装置１０には、リールを作動可能な状態にするか停止状態にするかの切替を行うリールスイッチ１４が設けられており、このリールスイッチ１４の切替等によりリード３の長さの調節が自由に行えるようになっている。【００２２】  突出部１２の先端面は、略矩形状に形成され、この先端面にリード孔１３が設けられている。すなわち、リード３は、突出部１２が延びる方向にリード孔１３を介して巻き取り又は繰り出しが行われるようになっている。また、装置本体１１の突出部１２と対向する角部の近傍には、環状のストラップ１６やアクセサリー等を装着する装着部１５が設けられている。また、突出部１２の先端面には、ライト５が設けられている。【００２３】  ライト５は、犬２を照射し得る光９を発光するものであり、リード３に設けられていてもよいが、把持部４である巻取繰出装置１０に設けられていることが好ましい。ライト５は、リード３に繋がれた犬２を照射することができると共に、指向性のある光を発光することができるものが好ましく、例えば、ＬＥＤランプ等が挙げられる。また、フィラメントが発光する豆球を用いてもよく、この場合には、ミラー等の反射鏡を用いて発光した光に指向性を持たせるようにすることが好ましい。ライト５は、リード孔１３から繰り出されるリード３の方向に光が照射されるように突出部１２の先端面に設けられていることが好ましい。また、巻取繰出装置１０には、ライト５のオンオフを切り替えるライトスイッチ（図示せず）が設けられていることが好ましい。【００２４】  ライト５を発光させる給電源（図示せず）は、ライト５を発光できれば特に限定されず、巻取繰出装置１０内に設けられている充電可能な内蔵電池であってもよい。この場合、巻取繰出装置１０にはその内蔵電池の充電を行える充電コネクタが設けられていることが好ましい。【００２５】  また、給電源として乾電池（図示せず）を用いてもよく、この場合には、巻取繰出装置１０に１本又は２本以上の乾電池を交換可能に収容する電池収容部（図示せず）を設けると共に、その電池収容部の開口部に蓋（図示せず）を着脱自在に取り付けることが好ましい。乾電池としては、市販されている００６Ｐ型（規格番号００６Ｐ型）の９Ｖ乾電池、単１乾電池、単２乾電池、単３乾電池、単４乾電池、単５乾電池等の一次電池や、それら一次電池とほぼ同じ形の二次電池等が挙げられる。一次電池としては、例えばマンガン電池、アルカリ電池等が使用できる。また、二次電池としては、充電可能な電池であれば特に限定されず、例えば、ニッケル水素��池、ニカド電池等が使用できる。【００２６】  また、巻取繰出装置１０には、表示灯（図示せず）が設けられていてもよい。表示灯は、光を発光させるものであれば特に限定されず、例えば、赤色、青色、白色等の光を点滅させるものでもよい。この表示灯の給電源は、ライト５の給電源を利用してもよいし、個別の給電源を巻取繰出装置１０に設けてもよい。このように表示灯を設けることにより、夜間に犬２の散歩を行う際には、犬２を散歩させる人の存在等を車の運転手等に認知させることができ、安全に犬２の散歩を行えることになる。【００２７】  図２は、本発明の第２の動物誘導用補助具を示す斜視図である。この第２の動物誘導用補助具は、図２に示すように、把持部４が、リード３０が接続される基部２１とその基部２１に設けられているリング部２２とからなり、その基部２１にライト５が設けられていることに特徴がある。なお、前記と同じ部材には同一の符号を付しその説明を省略する。【００２８】  リード３０は、前述のリード３と略同じ機能を奏するものであり、犬２を散歩させる際に誘導する主たるものである。リード３０は、例えば、紐、ベルト、ロープ等の帯状体であり、図示例では鎖状に形成されている。リード３０の材質としては、ナイロン、布、革、合成樹脂、金属等が挙げられる。リード３０の表面には、前述と同じように蓄光物質や蛍光物質等の発光物質が含有されていることが好ましい。【００２９】  基部２１は、例えば円柱状に形成されている。この基部２１の一方の端面の近傍であって対向する２箇所の周面には、コ字状のリード取付具２３が回動可能に取り付けられている。すなわち、リード取付具２３は、両側部２３ｂ、２３ｂと中央部２３ａとからなるコ字状に形成され、両側部２３ｂ、２３ｂの先端部が基部２１の周面にそれぞれ回動可能に取り付けられている。リード取付具２３の中央部２３ａの中央にリード３０の他端が回動可能に取り付けられている。基部２１の他方の端面に、リング部２２である環状のストラップやアクセサリー等を装着する装着部が設けられている。基部２１の一方の端面にライト５が設けられている。【００３０】  ライト５は、前述と同様にリード３０に接続された犬２を照射することができると共に、指向性のある光を発光することができるものが好ましく、例えば、ＬＥＤランプや豆球等が挙げられる。ライト５は、基部２１の軸方向に光が照射されるように基部２１の一方の端面に設けられていることが好ましい。これにより、ライト５は、リード３０が引っ張られたときに、リード３０が延びる方向に指向性のある光を発光することができることになる。また、基部２１には、ライト５のオンオフを切り替えるライトスイッチ２４が設けられていることが好ましい。【００３１】  ライト５を発光させる給電源は、例えば、基部２１内に設けられている充電可能な内蔵電池であってもよいし、前述と同じ乾電池であってもよい。給電源が乾電池である場合には、基部２１に１本又は２本以上の乾電池を交換可能に収容する電池収容部（図示せず）を設けると共に、その電池収容部の開口部に蓋（図示せず）を着脱自在に取り付けることが好ましい。また、基部２１には、表示灯（図示せず）が設けられていてもよい。表示灯��、光を発光させるものであれば特に限定されず、例えば、赤色の光を点滅させるものでもよい。この表示灯の給電源は、ライト５の給電源を利用してもよいし、個別の給電源を基部２１に設けてもよい。このように表示灯を設けることにより、夜間に犬２の散歩を行う際には、車の運転手等に認知されることができ、安全に犬２の散歩を行える。【００３２】  次に、前記の本発明の動物誘導用補助具の作用を説明する。
犬２を散歩するには、図３に示すように、リード３、３０の一端の連結フック８を犬２の例えば首輪に取り付け、巻取繰出装置１０（又は基部２１あるいはリング部２２）を把持する。このとき、巻取繰出装置１０にストラップ１６が装着されている場合には、ストラップ１６に手を通してから巻取繰出装置１０を把持することが好ましい。また、リールスイッチ１４により、リールを停止状態にしてリード３の長さを一定にしてもよいし、リールを作動し得る状態にしてリード３の長さ（犬２が歩き回ることができる距離）が自由に調節できるようにしてもよい。このように、連結フック８が犬２の首輪に取り付けられると共に巻取繰出装置１０を把持することにより、犬２を止めたり引っ張ったり等して犬２の歩行方向や走行方向を誘導しつつ犬２の散歩を行える。【００３３】  犬２の散歩が夜間の場合には、ライトスイッチ２４（図２参照）により巻取繰出装置１０又は基部２１に設けられているライト５をオンにして、ライト５から光９を発光させる。その結果、犬２を散歩させながら把持部４である巻取繰出装置１０又は基部２１を犬２の歩行方向を誘導しつつ光９の方向を犬２に向けて犬２に光９を照射することにより犬２の位置を把握することができる。また、犬２の存在を自転車に乗っている人や車を運転している人等に認知させることができる。また、犬２の散歩の前方に光９を照射して散歩する道路の状態を把握することができる。【００３４】  このように、片方の手だけで犬２の誘導と光９の照射とを行いながら犬２を散歩することができ、片手が自由になるので、例えば、犬２の排泄物（糞）の後始末を自由な方の片手でしかもライト５により排泄物を照らしながらシャベル４０等を用いて行える。また、そのシャベル４０等を手で持って歩くことができる。【００３５】  したがって、本発明の動物誘導用補助具１、２０は、把持部４にライト５を設けたので、夜間の散歩には特に便利なものである。【００３６】  また、ライト５が、巻取繰出装置１０のリード孔１３から繰り出されるリード３の方向に光９が照射されるように案内部１２の先端面に設けられている、または基部２１の軸方向に光９が照射されるように基部２１の一方の端面に設けられているために、リード３、３０を介して犬２に引っ張られる場合、リード３、３０の延びる方向と腕が延びる方向とは略直線上となるので、ライト５からの光９が犬２に照射される。その結果、光９の照射方向を気にすることなく犬２の散歩を行えるので、本発明の動物誘導用補助具１、２０は、一層便利なものとなる。【００３７】  また、リード３、３０の表面に蓄光物質や蛍光物質等の発光物質が含有されていることにより、光がリード３、３０に照射されると、リード３、３０は受光した光により光を発光するので、夜間に犬２の散歩を行う際には、より確実に犬２を散歩させることを車の運転手等に認知させることができ、安全に犬２の散歩を行え、しかも、犬２がどこにいるかをすぐに認知することができる。【００３８】  次に、本発明の第３の動物誘導用補助具を説明する。
図４及び図５は本発明の第３の動物誘導用補助具が示されている図である。本発明の第３の動物誘導用補助具は、図４及び図５に示すように、リード５１の表面に、蓄光物質や蛍光物質等の発光物質が含有され、把持部４内に、リード５１に向けて光を発光する発光体５２を設けたことを特徴とする。なお、前記の本発明の第１の動物誘導用補助具と同じ部材には同じ名称を付し、その説明を省略する。【００３９】  リード５１は、前述のリード３と略同じ機能を奏するものであり、犬２を散歩させる際に誘導する主たるものである。このリード５１の表面には、前述と同じように蓄光物質や蛍光物質等の発光物質が含有されている。発光物質としては、光を受光することにより光を発光する物質又はその物質を含有する発光性塗料等であれば特に限定されない。例えば、発光性塗料としては、蓄光塗料や蛍光塗料等が挙げられる。蓄光塗料とは、光エネルギーを吸収蓄積することで励起して発光する物質（蓄光物質）を含んだ塗料である。蓄光塗料としては、蓄光物質を適当な樹脂又はセルロース誘導体等の展色剤と練り合わせたもの等が挙げられる。蓄光物質としては、特に限定されるものではないが、微量の重金属活性化剤を添加した亜鉛やカルシウム等の硫化物等が挙げられる。蛍光塗料は、有機又は無機の蛍光体を含有する塗料のことである。有機蛍光体は、蛍光染料を合成樹脂の展色剤に溶解した固溶体であり、合成樹脂としてはポリ塩化ビニル、アルキド樹脂、アクリル樹脂等が挙げられる。無機蛍光体としては、無機蛍りん光体を利用したものであり、極めて純度の高い亜鉛、カドミニウム、カルシウム、アルミニウム、イットリウム等の金属の酸化物、硫化物、ケイ酸塩、タングステン酸塩等を主成分とし、これに微量のマンガン、銀、銅、鉛、ユーロビウム等の活性化剤および融剤を添加し、高温で焼成したもの等が挙げられる。【００４０】  把持部４は、前記の本発明の第１の動物誘導用補助具と同じように巻取繰出装置５５等である。この巻取繰出装置５５は、リールによりリード５１の巻き取り・繰り出しを自在にしてリード５１の長さを自由に調節できるものである。巻取繰出装置５５内には、リード５１に向けて光を発光する発光体５２が設けられている。【００４１】  発光体５２は、リード５１に向けて光を発光できれば特に限定されず、例えば、ＵＶランプ５３等が用いられる。ＵＶランプ５３は、紫外線（ＵＶ）を発光するものであり、特に限定されず、例えば市販のＵＶランプ等が用いられる。ＵＶランプ５３は、巻取繰出装置５５内のリード５１が移動する通路に対向して２つ設けられており、これらＵＶランプ５３からのＵＶがリード５１に照射されるようになっている。【００４２】  また、巻取繰出装置５５には、ＵＶランプ５３のオンオフを切り替えるランプスイッチ５８が設けられていることが好ましい。また、巻取繰出装置５５は外装ケースによって覆われており、この外装ケースとしては、透明な外装ケース５６が用いられていることが好ましい。この外装ケース５６は、例えば、透明な合成樹脂等で形成されている。また、外装ケース５６には、前記の発光物質と同じ発光物質が含有されていることが好ましい。【００４３】  また、巻取繰出装置５５には、ＵＶラン��５３を発光させるための給電源が設けられていることが好ましい。この給電源としては、充電可能な内蔵電池であってもよいが、例えば、図示するように、乾電池５９であることが好ましい。この場合には、巻取繰出装置５５に１本又は２本以上例えば２本の乾電池５９を交換可能に収容する電池収容部（図示せず）を設けると共に、その電池収容部の開口部に蓋（図示せず）を着脱自在に取り付けることが好ましい。乾電池５９としては、市販されている００６Ｐ型（規格番号００６Ｐ型）の９Ｖ乾電池、単１乾電池、単２乾電池、単３乾電池、単４乾電池、単５乾電池等の一次電池や、それら一次電池とほぼ同じ形の二次電池等が挙げられ、単３乾電池、単４乾電池の一次電池、それら一次電池とほぼ同じ形の二次電池であることが好ましい。一次電池としては、例えばマンガン電池、アルカリ電池等が使用できる。また、二次電池としては、充電可能な電池であれば特に限定されず、例えば、ニッケル水素電池、ニカド電池等が使用できる。【００４４】  この乾電池５９とＵＶランプ５３がランプスイッチ５８を介して電気的に接続されている。例えば、２本の乾電池５９は直列に接続され、この乾電池５９のプラス極が抵抗６１及びランプスイッチ５８を介して並列に接続されているＵＶランプ５３のプラス極に接続され、ランプスイッチ５８の作動によりＵＶランプ５３に安定した電流が供給されるようになっている。並列に接続されているＵＶランプ５３のマイナス極が乾電池５９のマイナス極に電気的に接続されている。また、並列に接続されているＵＶランプ５３のプラス極とマイナス極には静電防止用のツェナーダイオード６２が電気的に接続されている。【００４５】  次に、本発明の第３の動物誘導用補助具の作用を説明する。
犬２を散歩するには、図５に示すように、リード５１の一端の連結フック８を犬２の例えば首輪６５に取り付け、巻取繰出装置５５を把持する。このとき、巻取繰出装置５５にストラップ１６が装着されている場合には、ストラップ１６に手を通してから巻取繰出装置５５を把持することが好ましい。また、リールスイッチ１４により、リールを停止状態にしてリード５１の長さを一定にしてもよいし、リールを作動し得る状態にしてリード５１の長さ（犬２が歩き回ることができる距離）が自由に調節できるようにしてもよい。このように、連結フック８が犬２の首輪に取り付けられると共に巻取繰出装置５５を把持することにより、犬２を止めたり引っ張ったり等して犬２の歩行方向や走行方向を誘導しつつ犬２の散歩を行える。【００４６】  犬２の散歩が夜間の場合には、予めランプスイッチ５８をオンにしてＵＶランプ５３を発光させる。発光後に、リード５１の巻き取りや繰り出しを行い、巻取繰出装置５５から繰り出されるリード５１にＵＶを照射する。その結果、リード５１は受光した光により光を発光するので、巻取繰出装置５５から繰り出されて犬２に取り付けられている連結フック８までのリード５１全体（略全体を含む。）又は一部の外表面が発光するので、犬２を散歩させていることを車の運転手等に認知させることができ、安全に犬２の散歩を行える。また、リード５１が発光していると、犬２がどこにいるかをすぐに認知することができる。【００４７】  したがって、本発明の第３の動物誘導用補助具５０は、リード５１の表面に発光物質が含有され、把持部４内に発光体５２を設けたので、夜間の犬２の散歩を安全に行うことができる。【００４８】  また、巻取繰出装置５５の外装ケースが透明な外装ケース５６であると、ＵＶランプ５３からの光が外装ケース５６を通過して外装ケース５６の外部に照射されるので、夜間に犬２の散歩を行う際には、犬２を散歩させる人の存在等を車の運転手等に認知させることができ、より安全に犬２の散歩を行えることになる。また、その外装ケース５６に発光物質が含有されていると、外装ケース５６は受光した光により光を発光するので、より一層安全に犬２の散歩を行えることになる。【００４９】  また、本発明の第３の動物誘導用補助具５０において、巻取繰出装置５５に前記の本発明の第１の動物誘導用補助具のライト５を設けるようにしてもよい。この場合、ライト５の給電源は、ＵＶランプ５３の給電源を利用してもよいし、個別の給電源を設けるようにしてもよい。このようにライト５を設けることにより、ライト５からの光を犬２に照射することにより犬２の位置を把握することができる。また、犬２の存在を自転車に乗っている人や車を運転している人等により一層認知させることができる。また、犬２の散歩の前方に光を照射して散歩する道路の状態を把握することができ、より一層確実に安全に犬２の散歩を行えることになる。【００５０】  次に、本発明の第４の動物誘導用補助具を説明する。
図６及び図７は本発明の第４の動物誘導用補助具が示されている図である。本発明の第４の動物誘導用補助具は、図６及び図７に示すように、把持部４に、音を発生させる音発生器７１を設けたことを特徴とする。なお、前記の本発明の第１の動物誘導用補助具と同じ部材には同じ名称を付し、その説明を省略する。【００５１】  把持部４は、犬２を散歩させる際にリード３を介して犬２の歩行又は走行を誘導するために手で把持するものであり、手で把持できれば特に限定されず、図示するように、巻取繰出装置７５であってもよい。【００５２】  音発生器７１は、音を発生させることができれば特に限定されないが、警報装置７２であることが好ましい。警報装置７２としては、特に限定されず、例えば、ブザー等であり、音量が大きな音を発生させたり、特異の音を連続又は間欠的に発生させたりするものである。【００５３】  また、巻取繰出装置７５には、警報装置７２のオンオフを切り替える警報スイッチ７８が設けられていることが好ましい。また、巻取繰出装置７５には、警報装置７２を作動させるための給電源が設けられていることが好ましい。この給電源としては、充電可能な内蔵電池であってもよいが、例えば、図示するように、乾電池７９であることが好ましい。この場合には、巻取繰出装置７５に１本又は２本以上例えば２本の乾電池７９を交換可能に収容する電池収容部（図示せず）を設けると共に、その電池収容部の開口部に蓋（図示せず）を着脱自在に取り付けることが好ましい。乾電池７９としては、市販されている００６Ｐ型（規格番号００６Ｐ型）の９Ｖ乾電池、単１乾電池、単２乾電池、単３乾電池、単４乾電池、単５乾電池等の一次電池や、それら一次電池とほぼ同じ形の二次電池等が挙げられ、単３乾電池、単４乾電池の一次電池、それら一次電池とほぼ同じ形の二次電池であることが好ましい。一次電池としては、例えばマンガン電池、アルカリ電池等が使用できる。また、二次電池としては、充電可能な電池であれば特に限定されず、例えば、ニッケル水素電池、ニカド電池等が使用できる。【００５４】  この乾電池７９と警報装置７２が警報スイッチ７８を介して電気的に接続されている。例えば、２本の乾電池７９は直列に接続され、この乾電池７９のプラス極が抵抗８１及び警報スイッチ７８を介して警報装置７２のプラス極に接続され、警報スイッチ７８の作動により警報装置７２に安定した電流が供給されるようになっている。警報装置７２のマイナス極が乾電池７９のマイナス極に電気的に接続されている。【００５５】  次に、本発明の第４の動物誘導用補助具７０の作用を説明する。
犬２を散歩するには、図６に示すように、リード３の一端の連結フック８を犬２の例えば首輪６５に取り付け、巻取繰出装置７５を把持する。このとき、巻取繰出装置７５にストラップ１６が装着されている場合には、ストラップ１６に手を通してから巻取繰出装置７５を把持することが好ましい。また、リールスイッチ１４により、リールを停止状態にしてリード３の長さを一定にしてもよいし、リールを作動し得る状態にしてリード３の長さ（犬２が歩き回ることができる距離）が自由に調節できるようにしてもよい。このように、連結フック８が犬２の首輪に取り付けられると共に巻取繰出装置７５を把持することにより、犬２を止めたり引っ張ったり等して犬２の歩行方向や走行方向を誘導しつつ犬２の散歩を行える。【００５６】  犬２の散歩が特に夜間の場合には、回りが暗く人通りも少なくなってくるために、特に若い女性や子供等では不審な人につけられたりおそわれたりすることがあり得る。その場合、巻取繰出装置７５に警報装置７２が設けられていると、警報スイッチ７８をオンに作動させることにより、警報装置７２が作動されて、例えば音量が大きな音が発生したり、特異の音が連続又は間欠的に発生したりし、不審な人への威嚇や周囲の人への通報となり、安全に犬２の散歩を安全に行うことができる。また、犬２にも何らかの危険が生じた場合にも警報装置７２を作動させて音を発生させることによりクラクションとして使用することができる。【００５７】  したがって、本発明の第４の動物誘導用補助具７０は、セキュリティ等を目的として巻取繰出装置７５に警報装置７２を設けたので、特に夜間の犬２の散歩を安全に行うことができる。【００５８】  また、本発明の第４の動物誘導用補助具７０において、前記の本発明の第１の動物誘導用補助具のライト５を設けるようにしてもよいし、前記の本発明の第３の動物誘導用補助具の特徴であるリード３の表面に、蓄光物質や蛍光物質等の発光物質を含有させ、把持部４内に、リード３に向けて光を発光する発光体５２を設けるようにしてもよい。すなわち、本発明の第４の動物誘導用補助具７０において、ライト５をさらに設けるようにしてもよいし、また、リード３の表面に発光物質を含有させ、把持部４内に発光体５２を設けるようにしてもよいし、さらに、ライト５を設けると共に、リード３の表面に発光物質を含有させ、把持部４内に発光体５２を設けるようにしてもよい。【００５９】  ライト５を設ける場合、ライト５の給電源は、警報装置７２の給電源を利用してもよいし、個別の給電源を設けるようにしてもよい。このようにライト５を設けることにより、ライト５からの光を犬２に照射することにより犬２の位置を把握することができる。また、犬２の存在を自転車に乗っている人や車を運転している人等により一層認知させることができる。また、犬２の散歩の前方に光を照射して散歩する道路の状態を把握することができ、より一層確実に安全に犬２の散歩を行えることになる。また、発光体５２を設ける場合にも発光体５２の給電源は、警報装置７２の給電源を利用してもよいし、個別の給電源を設けるようにしてもよい。このように、発光体５２を設けると共にリード３の表面に発光物質を含有させることにより、���取繰出装置７５から繰り出されて犬２に取り付けられている連結フック８までのリード３全体（略全体を含む。）又は一部の外表面が発光するので、犬２を散歩させていることを車の運転手等に認知させることができ、より一層安全に犬２の散歩を行えることになる。
【図面の簡単な説明】
【００６０】
【図１】  本発明の第１の動物誘導用補助具を示す概略斜視図である。
【図２】  本発明の第２の動物誘導用補助具を示す概略斜視図である。
【図３】  本発明の第１の動物誘導用補助具を用いて犬を散歩させる状態を示す図である。
【図４】  本発明の第３の動物誘導用補助具を示す概略斜視図である。
【図５】  本発明の第３の動物誘導用補助具を用いて犬を散歩させる状態を示す図である。
【図６】  本発明の第４の動物誘導用補助具を示す概略斜視図である。
【図７】  本発明の第４の動物誘導用補助具を用いて犬を散歩させる状態を示す図である。示す概略斜視図である。
【符号の説明】
【００６１】１、２０、５０、７０  動物誘導用補助具
２  犬
３、３０、５１  リード
４  把持部
５  ライト
９  光
１０、５５、７５  巻取繰出装置
２１  基部
２２  リング部
５２  発光体
５３  ＵＶランプ
７１  音発生器
７２  警報装置
【図１】
2006025781.tif 000003
【図２】
2006025781.tif 000004
【図３】
2006025781.tif 000005
【図４】
2006025781.tif 000006
【図５】
2006025781.tif 000007
【図６】
2006025781.tif 000008
【図７】
2006025781.tif 000009